(57)【特許請求の範囲】
【請求項１】
面積又は形態を含む一定の空間情報を含むＳＯＩ（Ｓｐａｃｅ  ｏｆ  Ｉｎｔｅｒｅｓｔ）客体とコンテンツ（Ｃｏｎｔｅｎｔ）の結合客体の関係及び履歴を管理するシステムにおいて、
ＳＯＩ客体又はコンテンツを新たに生成するか、既存のＳＯＩ客体又はコンテンツの中で特定ＳＯＩ客体又はコンテンツを選択するＳＯＩ／Ｃｏｎｔｅｎｔ選定部と、
生成されるか選択された前記ＳＯＩ客体又はコンテンツの使用期間又は使用主題のうち一つ以上を設定するように構成された使用条件設定部と、
生成されるか選択された前記ＳＯＩ客体又はコンテンツを、互いに連結したＣＯＳ（Ｃｏｎｔｅｎｔ  ｏｆ  ＳＯＩ）を生成し、前記ＣＯＳ（Ｃｏｎｔｅｎｔ  ｏｆ  ＳＯＩ）を管理するＳＯＩ−コンテンツ関係管理部とを含み、
前記ＳＯＩ客体は少なくとも一つの下位ＳＯＩ客体を含む階層構造を有し、
前記ＳＯＩ−コンテンツ関係管理部は、前記ＣＯＳ（Ｃｏｎｔｅｎｔ  ｏｆ  ＳＯＩ）に含まれる、前記生成されるか選択されたＳＯＩ客体とコンテンツの間の連結関係を表すＳＯＩ−コンテンツ関係情報（ＣＯＳ  Ｏｂｊｅｃｔ）、及び前記ＣＯＳ（Ｃｏｎｔｅｎｔ  ｏｆ  ＳＯＩ）の表示属性を表すＳＯＩ−コンテンツ属性情報（ＣＯＳ  Ｐｒｏｐｅｒｔｙ）を管理し、
前記ＳＯＩ客体、前記コンテンツ、前記ＳＯＩ−コンテンツ関係情報（ＣＯＳ  Ｏｂｊｅｃｔ）及び前記ＳＯＩ−コンテンツ属性情報（ＣＯＳ  Ｐｒｏｐｅｒｔｙ）の中で少なくとも一つが変更された場合、時間に伴う変更履歴を管理するＳＯＩ−コンテンツ履歴管理部と、
外部の要請により前記変更履歴を検索し、検索された結果を表出するＳＯＩ−コンテンツ履歴復元部と、をさらに含む、
ことを特徴とするＳＯＩ（Ｓｐａｃｅ  ｏｆ  Ｉｎｔｅｒｅｓｔ）客体とコンテンツの結合客体の関係及び履歴を管理するシステム。
【請求項２】
前記ＳＯＩ客体は、
前記ＳＯＩ客体を特定するＳＯＩ  ＩＤを含むことを特徴とする請求項１に記載のＳＯＩ（Ｓｐａｃｅ  ｏｆ  Ｉｎｔｅｒｅｓｔ）客体とコンテンツの結合客体の関係及び履歴を管理するシステム。
【請求項３】
前記ＳＯＩ客体は、
前記ＳＯＩ客体の位置を表す位置情報（Ｌｏｃａｔｉｏｎ）と、
前記ＳＯＩ客体の外観を表す外観情報（Ｓｈａｐｅ）と、
前記ＳＯＩ客体を生成した時間を表すＳＯＩ時間情報（Ｃｒｅａｔｅ  Ｔｉｍｅ）のうち一つ以上をさらに含むことを特徴とする請求項２に記載のＳＯＩ（Ｓｐａｃｅ  ｏｆ  Ｉｎｔｅｒｅｓｔ）客体とコンテンツの結合客体の関係及び履歴を管理するシステム。
【請求項４】
前記使用主題が複数のＳＯＩ客体を含み、前記ＳＯＩ客体が前記使用主題に含まれる場合、
前記ＳＯＩ客体は前記使用主題に含まれた少なくとも一つの他のＳＯＩ客体と前記ＳＯＩ客体との関係を表すＳＯＩ関係情報（ＳＯＩ  Ｒｅｌａｔｉｏｎｓｈｉｐ）をさらに含むことを特徴とする請求項１に記載のＳＯＩ（Ｓｐａｃｅ  ｏｆ  Ｉｎｔｅｒｅｓｔ）客体とコンテンツの結合客体の関係及び履歴を管理するシステム。
【請求項５】
前記ＳＯＩ関係情報（ＳＯＩ  Ｒｅｌａｔｉｏｎｓｈｉｐ）は、
前記使用主題の内容に従い複数の前記ＳＯＩ客体の関係情報を、予め決定された基準により順を定めて表すＳＯＩ順次番号（ＳＯＩ  Ｓｅｑｕｅｎｃｅ  Ｎｏ）を含むことを特徴とする請求項４に記載のＳＯＩ（Ｓｐａｃｅ  ｏｆ  Ｉｎｔｅｒｅｓｔ）客体とコンテンツの結合客体の関係及び履歴を管理するシステム。
【請求項６】
前記コンテンツは、
前記コンテンツを特定するコンテンツ  ＩＤを含むことを特徴とする請求項１に記載のＳＯＩ（Ｓｐａｃｅ  ｏｆ  Ｉｎｔｅｒｅｓｔ）客体とコンテンツの結合客体の関係及び履歴を管理するシステム。
【請求項７】
前記コンテンツは、
前記コンテンツの内容を表すコンテンツ情報（Ｃｏｎｔｅｎｔ  Ｄａｔａ）と、
前記コンテンツが生成された時間を表すコンテンツ時間情報（Ｔｉｍｅ  Ｉｎｆｏｒｍａｔｉｏｎ）のうち一つ以上を含むことを特徴とする請求項１に記載のＳＯＩ（Ｓｐａｃｅ  ｏｆ  Ｉｎｔｅｒｅｓｔ）客体とコンテンツの結合客体の関係及び履歴を管理するシステム。
【請求項８】
前記使用主題が複数のコンテンツを含み、前記コンテンツが前記使用主題に含まれる場合、
前記コンテンツは前記使用主題に含まれる少なくとも一つの他のコンテンツと前記コンテンツの関係を表すコンテンツ関係情報（Ｃｏｎｔｅｎｔ  Ｒｅｌａｔｉｏｎｓｈｉｐ）をさらに含むことを特徴とする請求項１に記載のＳＯＩ（Ｓｐａｃｅ  ｏｆ  Ｉｎｔｅｒｅｓｔ）客体とコンテンツの結合客体の関係及び履歴を管理するシステム。
【請求項９】
前記コンテンツ関係情報（Ｃｏｎｔｅｎｔ  Ｒｅｌａｔｉｏｎｓｈｉｐ）は、
前記コンテンツを特定する第１コンテンツ  ＩＤと、
前記使用主題に含まれる他の前記コンテンツを特定する第２コンテンツ  ＩＤを含むことを特徴とする請求項８に記載のＳＯＩ（Ｓｐａｃｅ  ｏｆ  Ｉｎｔｅｒｅｓｔ）客体とコンテンツの結合客体の関係及び履歴を管理するシステム。
【請求項１０】
前記コンテンツ関係情報（Ｃｏｎｔｅｎｔ  Ｒｅｌａｔｉｏｎｓｈｉｐ）は、
前記使用主題の内容に従い前記複数のコンテンツの関係情報を、予め決定された基準により順を定めて表すコンテンツ順次番号（Ｃｏｎｔｅｎｔ  Ｓｅｑｕｅｎｃｅ  Ｎｏ）をさらに含むことを特徴とする請求項８に記載のＳＯＩ（Ｓｐａｃｅ  ｏｆ  Ｉｎｔｅｒｅｓｔ）客体とコンテンツの結合客体の関係及び履歴を管理するシステム。
【請求項１１】
前記ＳＯＩ−Ｃｏｎｔｅｎｔ関係情報（ＣＯＳ  Ｏｂｊｅｃｔ）及び前記ＳＯＩ−コンテンツ属性情報（ＣＯＳ  Ｐｒｏｐｅｒｔｙ）それぞれは、生成されるか選択された前記ＳＯＩ客体又はコンテンツを直接的にマッピング（Ｍａｐｐｉｎｇ）する関係ＩＤ（ＣＯＳ（Ｒｅｌａｔｉｏｎ）  ＩＤ）を含むことを特徴とする請求項１に記載のＳＯＩ（Ｓｐａｃｅ  ｏｆ  Ｉｎｔｅｒｅｓｔ）客体とコンテンツの結合客体の関係及び履歴を管理するシステム。
【請求項１２】
前記関係ＩＤ（ＣＯＳ（Ｒｅｌａｔｉｏｎ）  ＩＤ）は、
前記生成されるか選択されたＳＯＩ客体のＳＯＩ  ＩＤ、及び生成されるか選択された前記コンテンツのコンテンツ  ＩＤで構成されることを特徴とする請求項１１に記載のＳＯＩ（Ｓｐａｃｅ  ｏｆ  Ｉｎｔｅｒｅｓｔ）客体とコンテンツの結合客体の関係及び履歴を管理するシステム。
【請求項１３】
前記ＳＯＩ−コンテンツ関係情報（ＣＯＳ  Ｏｂｊｅｃｔ）は、
前記生成されるか選択されたＳＯＩ客体とコンテンツの相互連結を要請した利用者を表す関係ユーザー情報（Ｒｅｌａｔｉｏｎ  Ｕｓｅｒ  ＩＤ）と、
前記ＣＯＳ（Ｃｏｎｔｅｎｔ  ｏｆ  ＳＯＩ）が生成された時間を表す関係マッピング時間（Ｒｅｌａｔｉｏｎ  Ｍａｐｐｉｎｇ  Ｔｉｍｅ）を含むことを特徴とする請求項１に記載のＳＯＩ（Ｓｐａｃｅ  ｏｆ  Ｉｎｔｅｒｅｓｔ）客体とコンテンツの結合客体の関係及び履歴を管理するシステム。
【請求項１４】
前記使用主題が複数のＣＯＳ（Ｃｏｎｔｅｎｔ  ｏｆ  ＳＯＩ）を含み、
前記使用主題の内容に従い前記複数のＣＯＳ（Ｃｏｎｔｅｎｔ  ｏｆ  ＳＯＩ）の関係情報を、予め決定された基準により順を定めて表すＣＯＳ（Ｃｏｎｔｅｎｔ  ｏｆ  ＳＯＩ）順次番号（ＣＯＳ  Ｓｅｑｕｅｎｃｅ  Ｎｏ）を含むことを特徴とする請求項１に記載のＳＯＩ（Ｓｐａｃｅ  ｏｆ  Ｉｎｔｅｒｅｓｔ）客体とコンテンツの結合客体の関係及び履歴を管理するシステム。
【請求項１５】
前記ＳＯＩ−コンテンツ属性情報（ＣＯＳ  Ｐｒｏｐｅｒｔｙ）は、
前記ＣＯＳ（Ｃｏｎｔｅｎｔ  ｏｆ  ＳＯＩ）が表示される表示装置（Ｄｉｓｐｌａｙ  Ｄｅｖｉｃｅ）の種類を表す装置情報を含むことを特徴とする請求項１に記載のＳＯＩ（Ｓｐａｃｅ  ｏｆ  Ｉｎｔｅｒｅｓｔ）客体とコンテンツの結合客体の関係及び履歴を管理するシステム。
【請求項１６】
前記ＳＯＩ−コンテンツ属性情報は、
前記ＣＯＳ（Ｃｏｎｔｅｎｔ  ｏｆ  ＳＯＩ）を視覚的に表示するための視覚情報（Ｄｉｓｐｌａｙ  Ａｔｔｒｉｂｕｔｅ）と、
前記ＣＯＳ（Ｃｏｎｔｅｎｔ  ｏｆ  ＳＯＩ）が地図に表示される場合、前記地図の縮尺を表す縮尺情報（Ｄｉｓｐｌａｙ  Ｍａｐ  Ｌｅｖｅｌ）で構成されたグループのうち一つ以上を含むことを特徴とする請求項１に記載のＳＯＩ（Ｓｐａｃｅ  ｏｆ  Ｉｎｔｅｒｅｓｔ）客体とコンテンツの結合客体の関係及び履歴を管理するシステム。
【請求項１７】
前記視覚情報（Ｄｉｓｐｌａｙ  Ａｔｔｒｉｂｕｔｅ）は、
前記ＣＯＳ（Ｃｏｎｔｅｎｔ  ｏｆ  ＳＯＩ）を視覚的に表示するための線（Ｌｉｎｅ）の類型、前記線の色及び前記線の厚さのうち少なくとも一つに対する情報を含み、
前記線（Ｌｉｎｅ）の類型、前記線の色及び前記線の厚さは、前記縮尺情報（Ｄｉｓｐｌａｙ  Ｍａｐ  Ｌｅｖｅｌ）又はＣＯＳ（Ｃｏｎｔｅｎｔ  ｏｆ  ＳＯＩ）が表示される表示装置（Ｄｉｓｐｌａｙ  Ｄｅｖｉｃｅ）の種類を表す装置情報に従い決定されることを特徴とする請求項１６に記載のＳＯＩ（Ｓｐａｃｅ  ｏｆ  Ｉｎｔｅｒｅｓｔ）客体とコンテンツの結合客体の関係及び履歴を管理するシステム。
【請求項１８】
前記ＳＯＩ−コンテンツ関係情報（ＣＯＳ  Ｏｂｊｅｃｔ）及び前記ＳＯＩ−コンテンツ属性情報（ＣＯＳ  Ｐｒｏｐｅｒｔｙ）は、外部要請により変更され得ることを特徴とする請求項１に記載のＳＯＩ（Ｓｐａｃｅ  ｏｆ  Ｉｎｔｅｒｅｓｔ）客体とコンテンツの結合客体の関係及び履歴を管理するシステム。
【請求項１９】
前記ＳＯＩ−コンテンツ履歴管理部は、
前記ＳＯＩ客体、前記コンテンツ、前記ＳＯＩ−コンテンツ関係情報（ＣＯＳ  Ｏｂｊｅｃｔ）及び前記ＳＯＩ−コンテンツ属性情報（ＣＯＳ  Ｐｒｏｐｅｒｔｙ）の中で少なくとも一つが変更された場合、変更事項を類型に従い変更履歴ＤＢに保存することを特徴とする請求項１に記載のＳＯＩ（Ｓｐａｃｅ  ｏｆ  Ｉｎｔｅｒｅｓｔ）客体とコンテンツの結合客体の関係及び履歴を管理するシステム。
【請求項２０】
ＳＯＩ（Ｓｐａｃｅ  ｏｆ  Ｉｎｔｅｒｅｓｔ）とコンテンツの結合客体の関係及び履歴管理を実施するコンピューターシステムにおいて、
面積又は形態を含む一定の空間情報を含むＳＯＩ（Ｓｐａｃｅ  ｏｆ  Ｉｎｔｅｒｅｓｔ）客体とコンテンツ（Ｃｏｎｔｅｎｔ）の結合客体の関係及び履歴を管理する方法として、
前記コンピューターシステムはＳＯＩ／Ｃｏｎｔｅｎｔ選定部、使用条件設定部、及びＳＯＩ−コンテンツ関係管理部を含み、
前記ＳＯＩ／Ｃｏｎｔｅｎｔ選定部が、ＳＯＩ客体又はコンテンツを新たに生成するか、既存のＳＯＩ客体又はコンテンツの中で特定ＳＯＩ客体又はコンテンツを選択する段階と、
前記使用条件設定部が、前記生成されるか選択されたＳＯＩ客体又はコンテンツの使用期間又は使用主題のうち一つ以上を設定する段階と、
前記ＳＯＩ−コンテンツ関係管理部が、前記生成されるか選択されたＳＯＩ客体又はコンテンツを、互いに連結したＣＯＳ（Ｃｏｎｔｅｎｔ  ｏｆ  ＳＯＩ）を生成し、前記ＣＯＳ（Ｃｏｎｔｅｎｔ  ｏｆ  ＳＯＩ）を管理する段階とを含み、
前記ＳＯＩ客体は少なくとも一つの下位ＳＯＩ客体を含む階層構造を有し、
前記ＳＯＩ−コンテンツ関係管理部は、前記ＣＯＳ（Ｃｏｎｔｅｎｔ  ｏｆ  ＳＯＩ）に含まれる、前記生成されるか選択されたＳＯＩ客体とコンテンツの間の連結関係を表すＳＯＩ−コンテンツ関係情報（ＣＯＳ  Ｏｂｊｅｃｔ）、及び前記ＣＯＳ（Ｃｏｎｔｅｎｔ  ｏｆ  ＳＯＩ）の表示属性を表すＳＯＩ−コンテンツ属性情報（ＣＯＳ  Ｐｒｏｐｅｒｔｙ）を管理し、
前記ＳＯＩ客体、前記コンテンツ、前記ＳＯＩ−コンテンツ関係情報（ＣＯＳ  Ｏｂｊｅｃｔ）及び前記ＳＯＩ−コンテンツ属性情報（ＣＯＳ  Ｐｒｏｐｅｒｔｙ）の中で少なくとも一つが変更された場合、時間に伴う変更履歴を管理するＳＯＩ−コンテンツ履歴管理部と、
外部の要請により前記変更履歴を検索し、検索された結果を表出するＳＯＩ−コンテンツ履歴復元部とをさらに含む、
ことを特徴とするＳＯＩ（Ｓｐａｃｅ  ｏｆ  Ｉｎｔｅｒｅｓｔ）客体とコンテンツの結合客体の関係及び履歴を管理する方法。
【請求項２１】
コンピューターをして面積または形状を含む一定の空間情報を含むＳＯＩ（Ｓｐａｃｅ  ｏｆ  Ｉｎｔｅｒｅｓｔ）客体とコンテンツの関係または履歴を管理する方法を行うようにするコンピュータープログラム命令語が保存されたコンピューター利用可能な保存媒体であり、
前記コンピュータープログラム命令語は、
前記コンピューターが、ＳＯＩ客体又はコンテンツを新たに生成するか、既存のＳＯＩ客体又はコンテンツの中で特定ＳＯＩ客体又はコンテンツを選択するようにする第１コンピューター読取り可能なプログラムコードと、
前記コンピューターが、前記生成されるか選択されたＳＯＩ客体又はコンテンツの使用期間又は使用主題のうち一つ以上を設定するようにする第２コンピューター読取り可能なプログラムコードと、
前記コンピューターが、前記生成されるか選択されたＳＯＩ又はコンテンツを、互いに連結したＣＯＳ（Ｃｏｎｔｅｎｔ  ｏｆ  ＳＯＩ）を生成し、前記ＣＯＳ（Ｃｏｎｔｅｎｔ  ｏｆ  ＳＯＩ）を管理するようにする第３コンピューター読取り可能なプログラムコードとを含み、
前記ＳＯＩ客体は少なくとも一つの下位ＳＯＩ客体を含む階層構造を有し、
前記第３コンピューター読取り可能なプログラムコードは、
前記ＣＯＳ（Ｃｏｎｔｅｎｔ  ｏｆ  ＳＯＩ）に含まれる、前記生成されるか選択されたＳＯＩ客体とコンテンツの間の連結関係を表すＳＯＩ−コンテンツ関係情報（ＣＯＳ  Ｏｂｊｅｃｔ）、及び前記ＣＯＳ（Ｃｏｎｔｅｎｔ  ｏｆ  ＳＯＩ）の表示属性を表すＳＯＩ−コンテンツ属性情報（ＣＯＳ  Ｐｒｏｐｅｒｔｙ）を前記コンピューターが管理するようにし、
前記ＳＯＩ客体、前記コンテンツ、前記ＳＯＩ−コンテンツ関係情報（ＣＯＳ  Ｏｂｊｅｃｔ）及び前記ＳＯＩ−コンテンツ属性情報（ＣＯＳ  Ｐｒｏｐｅｒｔｙ）の中で少なくとも一つが変更された場合、時間に伴う変更履歴を前記コンピューターが管理するようにする第４コンピューター読取り可能なプログラムコードと、
前記コンピューターが外部の要請により前記変更履歴を検索し、検索された結果を表出してＳＯＩ−コンテンツ履歴を復元するようにする第５コンピューター読取り可能なプログラムコードと、をさらに含む、
ことを特徴とするコンピューター利用可能な保存媒体。
【発明の詳細な説明】
【技術分野】
【０００１】
本発明は、韓国特許庁に２０１２年２月２３日に出願された、韓国出願番号第１０−２０１２−００１８４９８号に対し優先権を主張し、本韓国出願の全般的な内容はここに参照として併合される。
本発明は、ＳＯＩ（Ｓｐａｃｅ  ｏｆ  Ｉｎｔｅｒｅｓｔ）とコンテンツの結合客体の関係及び履歴を管理するシステムに係り、より詳しくは、ＳＯＩ（Ｓｐａｃｅ  ｏｆ  Ｉｎｔｅｒｅｓｔ）とコンテンツが結合された客体でＳＯＩ（Ｓｐａｃｅ  ｏｆ  Ｉｎｔｅｒｅｓｔ）とコンテンツのうち少なくとも一つが削除、移転、修正などで変更される場合も、これら結合関係に対する履歴を引続き管理することができるＳＯＩ（Ｓｐａｃｅ  ｏｆ  Ｉｎｔｅｒｅｓｔ）とコンテンツの結合客体の関係及び履歴管理システムに関する。
ＳＯＩは、人が関心を持つか使用する空間に対するデータの集合と呼ばれ、点、線及び／又は面等を含むことができ、固有識別データを有する。ＳＯＩ客体は、ＳＯＩのデータ及び属性情報（例えば、色相、線の太さ、線の種類、表示時間、利用可能時間、接続許容コントロールなど）を識別する、空間情報を組み合わせた構造を言う。
【背景技術】
【０００２】
一般に、ＰＯＩ（Ｐｏｉｎｔ  ｏｆ  Ｉｎｔｅｒｅｓｔ）位置情報はＸＹ位置座標値に表現されるものである。現在サービス中のインターネットポータルの位置情報検索サービスを介し特定ＰＯＩを検索する場合、一定の大きさの地図上に当該ＰＯＩのＸＹ位置座標を一つの点で表示する。
図１は、インターネットポータルの位置情報検索サービスで『ユネスコ会館ビル』とのＰＯＩを検索した結果である。検索結果は、ソウル特別市中区明洞所在の地図上に、特定ＸＹ位置座標をマーキングしている。一般的な位置情報ＤＢには『ユネスコ会館ビル』を特定ＸＹ位置座標にｍａｐｐｉｎｇさせている。もし、『ユネスコ会館ビル』に対する検索要請を受ければ、ｍａｐｐｉｎｇされたＸＹ位置情報を抽出して当該地図上に表示する。
【０００３】
しかし、図１からも確認されるように、『ユネスコ会館ビル』は地図上でも一定の面積を占めている。それにも拘わらず、実際地図に表示されるのは一つの点の形態である。その理由は、位置情報ＤＢに『ユネスコ会館ビル』を単に一つのＸＹ位置座標にのみｍａｐｐｉｎｇするためである。
特に、図２に示す通り、多数の建物からなる特定ＰＯＩの場合は、多様な建物とそれぞれが一定の面積を有している。このような場合もＰＯＩ検索では、広い空間領域の中で予めｍａｐｐｉｎｇした特定の建物のＸＹ座標のみを表示する方式であるため、地理情報提供の正確度が低下する問題点がある。
さらに、最近は多数の建物が複数階からなっており、各階ごとに別の会社等が入居している。さらに、一つの階に多くの会社が入居している場合もある。このような多様な形態の地理情報を一つのＸＹ座標にのみ表現することには限界がある。したがって、地理情報にも一定の空間概念を追加して表示する必要性が増している。
【０００４】
一方、インターネットを介し、ＰＯＩ位置情報に適したコンテンツを結合して利用者に提供するサービスが活性化している。一般に、特定飲食店を検索する場合、当該飲食店のＰＯＩ位置情報と、当該飲食店に対する関連コンテンツが結合された状態に表示される。
図３は、一般的なインターネットポータルで特定飲食店を検索した結果を示した図である。
先ず、上段に当該飲食店の名称、住所、電話番号、営業時間などの概略的特性情報１０が提供され、その下段に当該飲食店に対する評価、ブログレビューなど実際利用者達の評価情報２０が提供される。
これとは別に、右側下段に当該飲食店のＰＯＩ位置情報が所定の倍率を有する地図上３０に表示されることになる。
【０００５】
ところが、ここで飲食店の特性情報１０と評価情報２０とＰＯＩ位置情報３０は、互いに１：１の関係でＵＲＬを利用して直接結合される。即ち、当該飲食店のＰＯＩ位置情報３０を基準に、特性情報１０を含んでいるウェブページのＵＲＬ、当該飲食店のそれぞれの評価情報を含むウェブページのＵＲＬと、それぞれのブログ評価を含んでいるブログＵＲＬとを直接的にｍａｐｐｉｎｇさせる方式である。
このようなＵＲＬを利用した直接ｍａｐｐｉｎｇ方式で、ＰＯＩ位置情報や特性／評価情報などコンテンツが変更されることがあり得るが、このような変更履歴を正確に管理して表現する必要性が申し立てられる。場合によっては、住所情報が変更されているにも拘わらず、従前の住所情報をそのまま表現している場合がたびたび発生する。
【先行技術文献】
【特許文献】
【０００６】
【特許文献１】特開２００４−１９１３３９号公報
【発明の概要】
【発明が解決しようとする課題】
【０００７】
本発明の目的は、一定の面積又は形態を有する空間情報を含むＳＯＩ（Ｓｐａｃｅ  ｏｆ  Ｉｎｔｅｒｅｓｔ）とコンテンツの連結関係を、固有の関係ＩＤ形態で管理するシステムを提供することにある。
本発明のさらに他の目的は、ＳＯＩ（Ｓｐａｃｅ  ｏｆ  Ｉｎｔｅｒｅｓｔ）とコンテンツの結合関係で、ＳＯＩ又はコンテンツの変更履歴を管理するシステムを提供することにある。
【課題を解決するための手段】
【０００８】
本発明に係るシステムは、所望のＳＯＩ又はコンテンツを新たに生成するか、既存のＳＯＩ又はコンテンツ等の中で前記所望のＳＯＩ又はコンテンツを選択するＳＯＩ／コンテンツ選定部、生成されるか選択されたＳＯＩ又はコンテンツの使用期間又は使用主題を設定する使用条件設定部、及び前記生成されるか選択されたＳＯＩ又はコンテンツを互いに連結したＣｏｎｔｅｎｔ  ｏｆ  ＳＯＩを生成し、前記Ｃｏｎｔｅｎｔ  ｏｆ  ＳＯＩを管理するＳＯＩ−コンテンツ関係管理部を含むことを特徴とする。
【０００９】
前記ＳＯＩは、前記ＳＯＩを特定する固有のＳＯＩ  ＩＤ、前記ＳＯＩの位置を表す位置情報（Ｌｏｃａｔｉｏｎ）、前記ＳＯＩの外観を表す外観情報（Ｓｈａｐｅ）、及び前記ＳＯＩが生成された時間を表すＳＯＩ時間情報（Ｃｒｅａｔｅ  Ｔｉｍｅ）を含むことを特徴とする。
【００１０】
前記使用主題が複数のＳＯＩを含み、前記ＳＯＩが前記使用主題に含まれる場合、前記ＳＯＩは他のＳＯＩとの関係を表すＳＯＩ関係情報（ＳＯＩ  Ｒｅｌａｔｉｏｎｓｈｉｐ）をさらに含み、
前記ＳＯＩ関係情報（ＳＯＩ  Ｒｅｌａｔｉｏｎｓｈｉｐ）は、前記使用主題の内容に従い前記複数のＳＯＩの関係を順次表すＳＯＩ順次番号（ＳＯＩ  Ｓｅｑｕｅｎｃｅ  Ｎｏ）を含むことを特徴とする。
【００１１】
前記コンテンツは、前記コンテンツを特定する固有のコンテンツ  ＩＤ、前記コンテンツの内容を表すコンテンツ情報（Ｃｏｎｔｅｎｔ  Ｄａｔａ）、及び前記コンテンツが生成された時間を表すコンテンツ時間情報（Ｔｉｍｅ  Ｉｎｆｏｒｍａｔｉｏｎ）を含み、
前記使用主題が複数のＣｏｎｔｅｎｔを含み、前記コンテンツが前記使用主題に含まれる場合、前記コンテンツは前記使用主題に含まれる他のコンテンツと前記コンテンツの関係を表すコンテンツ関係情報（Ｃｏｎｔｅｎｔ  Ｒｅｌａｔｉｏｎｓｈｉｐ）をさらに含み、
前記コンテンツ関係情報（Ｃｏｎｔｅｎｔ  Ｒｅｌａｔｉｏｎｓｈｉｐ）は、前記使用主題の内容に従い前記複数のコンテンツの関係を順次表すコンテンツ順次番号（Ｃｏｎｔｅｎｔ  Ｓｅｑｕｅｎｃｅ  Ｎｏ）を含むことを特徴とする。
【００１２】
前記ＳＯＩ−コンテンツ関係管理部は、前記Ｃｏｎｔｅｎｔ  ｏｆ  ＳＯＩに含まれる前記生成されるか選択されたＳＯＩ又はコンテンツの間の連結関係を表すＳＯＩ−コンテンツ関係情報（ＣＯＳ  Ｏｂｊｅｃｔ）、及び前記Ｃｏｎｔｅｎｔ  ｏｆ  ＳＯＩの表示属性を表すＳＯＩ−コンテンツ属性情報（ＣＯＳ  Ｐｒｏｐｅｒｔｙ）を介し前記Ｃｏｎｔｅｎｔ  ｏｆ  ＳＯＩを管理し、
前記ＳＯＩ−コンテンツ関係情報（ＣＯＳ  Ｏｂｊｅｃｔ）及び前記ＳＯＩ−コンテンツ属性情報（ＣＯＳ  Ｐｒｏｐｅｒｔｙ）は、前記生成されるか選択されたＳＯＩ又はコンテンツを直接的にマッピング（Ｍａｐｐｉｎｇ）する固有の関係ＩＤ（ＣＯＳ（Ｒｅｌａｔｉｏｎ）  ＩＤ）を含み、
前記関係ＩＤ（ＣＯＳ（Ｒｅｌａｔｉｏｎ）  ＩＤ）は、前記生成されるか選択されたＳＯＩの固有のＳＯＩ  ＩＤ、及び前記生成されるか選択されたコンテンツのコンテンツ  ＩＤで構成されることを特徴とする。
【００１３】
前記ＳＯＩ−コンテンツ関係情報（ＣＯＳ  Ｏｂｊｅｃｔ）は、前記生成されるか選択されたＳＯＩ又はコンテンツの相互連結を要請した利用者を表す関係ユーザー情報（Ｒｅｌａｔｉｏｎ  Ｕｓｅｒ  Ｉｄ）、及び前記Ｃｏｎｔｅｎｔ  ｏｆ  ＳＯＩが生成された時間を表す関係マッピング時間（Ｒｅｌａｔｉｏｎ  Ｍａｐｐｉｎｇ  Ｔｉｍｅ）を含むことを特徴とする。
【００１４】
前記使用主題が複数のＣｏｎｔｅｎｔ  ｏｆ  ＳＯＩを含み、前記Ｃｏｎｔｅｎｔ  ｏｆ  ＳＯＩが前記使用主題に含まれる場合、前記使用主題の内容に従い前記複数のＣｏｎｔｅｎｔ  ｏｆ  ＳＯＩの関係を順次表すＣｏｎｔｅｎｔ  ｏｆ  ＳＯＩ順次番号（ＣＯＳ  Ｓｅｑｕｅｎｃｅ  Ｎｏ）を含むことを特徴とする。
【００１５】
前記ＳＯＩ−コンテンツ属性情報（ＣＯＳ  Ｐｒｏｐｅｒｔｙ）は、前記Ｃｏｎｔｅｎｔ  ｏｆ  ＳＯＩを視覚的に表示するための視覚情報（Ｄｉｓｐｌａｙ  Ａｔｔｒｉｂｕｔｅ）、前記Ｃｏｎｔｅｎｔ  ｏｆ  ＳＯＩが地図に表示される場合、前記地図の縮尺を表す縮尺情報（Ｄｉｓｐｌａｙ  Ｍａｐ  Ｌｅｖｅｌ）、及び前記Ｃｏｎｔｅｎｔ  ｏｆ  ＳＯＩが表示される表示装置の種類を表す装置情報（Ｄｉｓｐｌａｙ  Ｄｅｖｉｃｅ）を含み、
前記視覚情報（Ｄｉｓｐｌａｙ  Ａｔｔｒｉｂｕｔｅ）は線（Ｌｉｎｅ）の類型、前記線の色、前記線の厚さを表す情報を含むことを特徴とする。
【００１６】
前記ＳＯＩ、前記コンテンツ、前記ＳＯＩ−コンテンツ関係情報（ＣＯＳ  Ｏｂｊｅｃｔ）及び前記ＳＯＩ−コンテンツ属性情報（ＣＯＳ  Ｐｒｏｐｅｒｔｙ）の中で少なくとも一つが変更された場合、時間に伴う変更履歴を管理するＳＯＩ−コンテンツ履歴管理部、及び外部の要請により前記変更履歴を検索し、検索された結果を表出するＳＯＩ−コンテンツ履歴復元部をさらに含み、
前記ＳＯＩ−コンテンツ関係情報（ＣＯＳ  Ｏｂｊｅｃｔ）及び前記ＳＯＩ−コンテンツ属性情報（ＣＯＳ  Ｐｒｏｐｅｒｔｙ）は外部要請により変更されることを特徴とする。
【００１７】
前記ＳＯＩ−コンテンツ履歴管理部は、前記ＳＯＩ、前記コンテンツ、前記ＳＯＩ−コンテンツ関係情報（ＣＯＳ  Ｏｂｊｅｃｔ）及び前記ＳＯＩ−コンテンツ属性情報（ＣＯＳ  Ｐｒｏｐｅｒｔｙ）の中で少なくとも一つが変更された場合、変更事項を前記変更履歴で管理するか否かを判断したあと、変更履歴で管理することに判断された前記変更事項を類型に従い変更履歴ＤＢに保存することを特徴とする。
【発明の効果】
【００１８】
前記のように本発明は、下記のような効果を有する。
第一、関係ＳＯＩとコンテンツを連結自体に固有した識別関係ＩＤを与えて管理することにより、関係ＩＤ等の追加拡張／連結を介し関係ＳＯＩとコンテンツの連結関係の拡張性を提供することができる。
第二、関係ＳＯＩとコンテンツの管理に関する履歴を管理することにより、ＳＯＩの変化、コンテンツの変化、関係の変化を体系的に管理し、時間に伴い変更履歴を追跡することができる。
【図面の簡単な説明】
【００１９】
【図１】一般的な位置情報サービスの表示例を示した図である。
【図２】一定の面積を有するＰＯＩを検索した画面である。
【図３】ＰＯＩとコンテンツを結合された状態で検索結果を示す例である。
【図４】本発明に係るＳＯＩとコンテンツの関係管理システムの概路図である。
【図５】本発明に係るＳＯＩ  ＤＡＴＡ、Ｃｏｎｔｅｎｔ  ＤＡＴＡ及びＳＯＩ−Ｃｏｎｔｅｎｔ  ＤＡＴＡの関係を示す図である。
【図６】（ａ）は、本発明の好ましい実施形態に係るＳＯＩを示す図である。        （ｂ）は、本発明の好ましい実施形態に係るコンテンツを示す図である。        （ｃ）は、本発明の好ましい実施形態に係るコンテンツ関係情報（Ｃｏｎｔｅｎｔ  Ｒｅｌａｔｉｏｎｓｈｉｐ）を示す図である。        （ｄ）は、本発明の好ましい実施形態に係るＳＯＩ−コンテンツ関係情報（ＣＯＳ  Ｏｂｊｅｃｔ）を示す図である。        （ｅ）は、本発明の好ましい実施形態に係るＳＯＩ−コンテンツ属性情報（ＣＯＳ  Ｐｒｏｐｅｒｔｙ）を示す図である。
【図７】本発明の好ましい実施形態に係る関係ＩＤ（ＣＯＳ（Ｒｅｌａｔｉｏｎ）  ＩＤ）を示す図である。
【図８】本発明に係る履歴管理及び履歴復元システムを示す図である。
【図９】時間に伴う変更履歴を照合することができるタイムバー（Ｔｉｍｅ  Ｂａｒ）形態の一実施形態を示す図である。
【発明を実施するための形態】
【００２０】
以下、本発明を図面により詳しく説明する。各図の構成要素等の符号は、同一の構成要素等に対しては、他の図面上に表示される場合も、できるだけ同一の符号を有するようにしている。  
図４は、本発明に係るＳＯＩとコンテンツの関係を利用した履歴管理システムの概路図である。図４に示す通り、ＳＯＩ／Ｃｏｎｔｅｎｔ選定部はＳＯＩ選定部４１０及びコンテンツ選定部４２０を含む。
先ず、ＳＯＩ選定部４１０は、所望のＳＯＩを一つ以上新たに生成してＳＯＩ  ＤＢ  ５００に保存するか、ＳＯＩ  ＤＢ  ５００に保存された既存のＳＯＩ等の中で所望の特定ＳＯＩを選択する機能を有する。
【００２１】
ここで、ＳＯＩはＰＯＩと異なり、ＸＹ位置座標を一つの点で表示せず、一定の空間情報を含む。例えば、一定の空間情報は面積又は形態を含むことができるため、各階ごとに別の対象が存在する建物で、又は一つの階に幾多の対象が存在する場合も特定地理情報を正確に表すことができる。空間情報は、２Ｄ又は３Ｄ座標等の集合、一つ以上の２Ｄ又は３Ｄ形態などを含む多様な形態に表現される。さらに、ＳＯＩはそのものとして階層構造を有しているので、生成されるか選択されたＳＯＩの下位構造のＳＯＩも生成されるか選択される。例えば、特定建物が選択されたＳＯＩであれば、特定建物の個別階別に下位ＳＯＩが連結されるので、当該特定建物内の特定階のＳＯＩも選択することができる。以下、別の図でＳＯＩをより具体的に説明する。
【００２２】
図６（ａ）は、本発明の好ましい実施形態に係るＳＯＩを示す図である。
ＳＯＩは、ＳＯＩを特定する固有のＳＯＩ  ＩＤ、ＳＯＩの位置を表す位置情報（Ｌｏｃａｔｉｏｎ）、ＳＯＩの外観を表す外観情報（Ｓｈａｐｅ）、及びＳＯＩが生成された時間を表すＳＯＩ時間情報（Ｃｒｅａｔｅ  Ｔｉｍｅ）を含むことができる。さらに、使用主題が複数のＳＯＩを含む場合、ＳＯＩは他のＳＯＩとの関係を順次表すＳＯＩ関係情報（ＳＯＩ  Ｒｅｌａｔｉｏｎｓｈｉｐ、図示省略）をさらに含むことができる。例えば、特定使用主題が昼食であれば、昼食に含まれる複数のＳＯＩのうち何れか一つのＳＯＩが食堂であり、他の一つのＳＯＩはカフェになり得る。このような場合、一般に食事を終えた後にお茶を飲むので、食堂を表すＳＯＩのＳＯＩ関係情報（ＳＯＩ  Ｒｅｌａｔｉｏｎｓｈｉｐ）は『１』であり、カフェを表すＳＯＩのＳＯＩ関係情報（ＳＯＩ  Ｒｅｌａｔｉｏｎｓｈｉｐ）は『２』になる。特定使用主題に従いＳＯＩ関係情報（ＳＯＩ  Ｒｅｌａｔｉｏｎｓｈｉｐ）は変更される。
【００２３】
図４に戻り、ＳＯＩ選定部４１０は所望のＳＯＩを一つ以上新たに生成するＳＯＩ  ＩＤ生成部、及びＳＯＩ  ＤＢ  ５００に保存された既存のＳＯＩ等の中で所望の特定ＳＯＩを選択するＳＯＩ  ＩＤ選択部を含むことができる。
コンテンツ選定部４２０は、前述のＳＯＩ選定部４１０と同様に、所望のコンテンツ（Ｃｏｎｔｅｎｔ）を一つ以上新たに生成してＣｏｎｔｅｎｔ  ＤＢ  ６００に保存するか、Ｃｏｎｔｅｎｔ  ＤＢ  ６００に保存された既存のコンテンツ等の中で所望の特定コンテンツを選択する機能を有する。その基本動作方式は、ＳＯＩを選択する方法と類似する。以下、別の図でコンテンツをより具体的に説明する。
【００２４】
図６（ｂ）は、本発明の好ましい実施形態に係るコンテンツを示す図である。
コンテンツは、コンテンツを特定する固有のコンテンツ  ＩＤ、コンテンツの内容を表すコンテンツ情報（Ｃｏｎｔｅｎｔ  Ｄａｔａ）、及びコンテンツが生成された時間を表すコンテンツ時間情報（Ｔｉｍｅ  Ｉｎｆｏｒｍａｔｉｏｎ）を含むことができる。さらに、使用主題が複数のコンテンツを含む場合、コンテンツは他のコンテンツとの関係を順次表すコンテンツ関係情報（Ｃｏｎｔｅｎｔ  Ｒｅｌａｔｉｏｎｓｈｉｐ）をさらに含むことができる。以下、別の図でコンテンツ関係情報（Ｃｏｎｔｅｎｔ  Ｒｅｌａｔｉｏｎｓｈｉｐ）をより具体的に説明する。
図６（ｃ）は、本発明の好ましい実施形態に係るコンテンツ関係情報（Ｃｏｎｔｅｎｔ  Ｒｅｌａｔｉｏｎｓｈｉｐ）を示す図である。
【００２５】
コンテンツ関係情報（Ｃｏｎｔｅｎｔ  Ｒｅｌａｔｉｏｎｓｈｉｐ）は、使用主題に含まれるコンテンツを特定する固有のコンテンツ  ＩＤ、及び使用主題に含まれる他のコンテンツを特定する固有のＳｕｂ  Ｃｏｎｔｅｎｔ  ＩＤを含むことができる。さらに、コンテンツ関係情報（Ｃｏｎｔｅｎｔ  Ｒｅｌａｔｉｏｎｓｈｉｐ）は、使用主題の内容に従い複数のコンテンツの関係を順次表すコンテンツ順次番号（Ｃｏｎｔｅｎｔ  Ｓｅｑｕｅｎｃｅ  Ｎｏ）をさらに含むことができる。例えば、特定使用主題が昼食であれば、昼食に含まれる複数のコンテンツのうち何れか一つのコンテンツが食事であり、他の一つのコンテンツはお茶飲みになり得る。このような場合、コンテンツ  ＩＤは食事を特定するはずであり、Ｓｕｂ  Ｃｏｎｔｅｎｔ  ＩＤはお茶飲みを特定するはずである。そして、一般に食事を終えた後にお茶を飲むので、食事を表すコンテンツに含まれるコンテンツ関係情報（Ｃｏｎｔｅｎｔ  Ｒｅｌａｔｉｏｎｓｈｉｐ）に含まれるコンテンツ順次番号（Ｃｏｎｔｅｎｔ  Ｓｅｑｕｅｎｃｅ  Ｎｏ）は『１』になるはずであり、お茶飲みを表すコンテンツに含まれるコンテンツ関係情報（Ｃｏｎｔｅｎｔ  Ｒｅｌａｔｉｏｎｓｈｉｐ）は『２』になる。特定使用主題に従いコンテンツ関係情報（Ｃｏｎｔｅｎｔ  Ｒｅｌａｔｉｏｎｓｈｉｐ）は変更され得る。
【００２６】
図４に戻り、コンテンツ選定部４２０は所望のコンテンツを一つ以上新たに生成するコンテンツ  ＩＤ生成部、及びＣｏｎｔｅｎｔ  ＤＢ  ６００に保存された既存のコンテンツ等の中で所望の特定コンテンツを選択するコンテンツ  ＩＤ選択部を含むことができる。
使用条件設定部４３０は、ＳＯＩ選定部４１０及び／又はコンテンツ選定部４２０でそれぞれ生成されるか選択されたＳＯＩ、又はコンテンツに対し使用期間や使用主題などを設定することができる機能を提供する。ここで、使用期間は使用開始日と使用終了日を含む。さらに、使用主題はカテゴリー分類、テーマ、イベント、プロモーションなどの情報を含む。本発明の好ましい実施形態によれば、使用期間と使用主題は相互連関性を有するように設定するのが好ましい。
【００２７】
ＳＯＩ−コンテンツ関係管理部４４０は、ＳＯＩ選定部４１０及びコンテンツ選定部４２０でそれぞれ生成されるか選択されたＳＯＩ又はコンテンツを互いに連結したＣｏｎｔｅｎｔ  ｏｆ  ＳＯＩを生成し、生成されたＣｏｎｔｅｎｔ  ｏｆ  ＳＯＩを管理する機能を行う。このため、ＳＯＩ−コンテンツ関係管理部４４０は詳細的にＳＯＩ−コンテンツ連結部４４１、ＳＯＩ−コンテンツ関係ＩＤ生成部４４２及びＳＯＩ−コンテンツ関係情報管理部４４３を含む。
ＳＯＩ−コンテンツ連結部４４１は、Ｃｏｎｔｅｎｔ  ｏｆ  ＳＯＩに含まれる、生成されるか選択されたＳＯＩ又はコンテンツの間の連結関係を表すＳＯＩ−コンテンツ関係情報（ＣＯＳ  Ｏｂｊｅｃｔ）、及びＣｏｎｔｅｎｔ  ｏｆ  ＳＯＩの表示属性を表すＳＯＩ−コンテンツ属性情報（ＣＯＳ  Ｐｒｏｐｅｒｔｙ）を生成して編集する。以下、別の図でＳＯＩ−コンテンツ関係情報（ＣＯＳ  Ｏｂｊｅｃｔ）をより具体的に説明する。
【００２８】
図６（ｄ）は、本発明の好ましい実施形態に係るＳＯＩ−コンテンツ関係情報（ＣＯＳ  Ｏｂｊｅｃｔ）を示す図である。
ＳＯＩ−コンテンツ関係情報（ＣＯＳ  Ｏｂｊｅｃｔ）は、ＳＯＩとコンテンツの間の連結関係を具体的に表す。このため、ＳＯＩ−コンテンツ関係情報（ＣＯＳ  Ｏｂｊｅｃｔ）は、生成されるか選択されたＳＯＩ又はコンテンツを直接的にマッピング（Ｍａｐｐｉｎｇ）する固有の関係ＩＤ（ＣＯＳ（Ｒｅｌａｔｉｏｎ）  ＩＤ）を含む。さらに、ＳＯＩ−コンテンツ関係情報（ＣＯＳ  Ｏｂｊｅｃｔ）は、生成されるか選択されたＳＯＩ又はコンテンツの相互連結を要請した利用者を表す関係ユーザー情報（Ｒｅｌａｔｉｏｎ  Ｕｓｅｒ  Ｉｄ）、及びＣｏｎｔｅｎｔ  ｏｆ  ＳＯＩが生成された時間を表す関係マッピング時間（Ｒｅｌａｔｉｏｎ  Ｍａｐｐｉｎｇ  Ｔｉｍｅ）を含むことができ、特定使用主題が複数のＣｏｎｔｅｎｔ  ｏｆ  ＳＯＩを含む場合、特定使用主題の内容に従い複数のＣｏｎｔｅｎｔ  ｏｆ  ＳＯＩの関係を順次表すＣｏｎｔｅｎｔ  ｏｆ  ＳＯＩ順次番号（ＣＯＳ  Ｓｅｑｕｅｎｃｅ  Ｎｏ）を含むことができる。例えば、ＳＯＩ−コンテンツ関係情報（ＣＯＳ  Ｏｂｊｅｃｔ）はＳＯＩとコンテンツが１：１で連結されたものなのか、それとも１：Ｎ、Ｎ：１、又はＮ：Ｎで連結されたものなのかを表すことができる（ここで、Ｎは２以上の自然数である）。
【００２９】
以下、別の図でＳＯＩ−コンテンツ属性情報（ＣＯＳ  Ｐｒｏｐｅｒｔｙ）をより具体的に説明する。
図６（ｅ）は、本発明の好ましい実施形態に係るＳＯＩ−コンテンツ属性情報（ＣＯＳ  Ｐｒｏｐｅｒｔｙ）を示す図である。
ＳＯＩ−コンテンツ属性情報（ＣＯＳ  Ｐｒｏｐｅｒｔｙ）は、Ｃｏｎｔｅｎｔ  ｏｆ  ＳＯＩの表示属性をより詳細的に表す。このため、ＳＯＩ−コンテンツ属性情報（ＣＯＳ  Ｐｒｏｐｅｒｔｙ）は生成されるか選択されたＳＯＩ又はコンテンツを直接的にマッピング（Ｍａｐｐｉｎｇ）する固有の関係ＩＤ（ＣＯＳ（Ｒｅｌａｔｉｏｎ）  ＩＤ）を含む。さらに、Ｃｏｎｔｅｎｔ  ｏｆ  ＳＯＩを視覚的に表示するための視覚情報（Ｄｉｓｐｌａｙ  Ａｔｔｒｉｂｕｔｅ）、Ｃｏｎｔｅｎｔ  ｏｆ  ＳＯＩが地図に表示される場合、地図の縮尺を表す縮尺情報（Ｄｉｓｐｌａｙ  Ｍａｐ  Ｌｅｖｅｌ）、及びＣｏｎｔｅｎｔ  ｏｆ  ＳＯＩが表示される表示装置の種類を表す装置情報（Ｄｉｓｐｌａｙ  Ｄｅｖｉｃｅ）を含むことができる。そして、視覚情報（Ｄｉｓｐｌａｙ  Ａｔｔｒｉｂｕｔｅ）はＣｏｎｔｅｎｔ  ｏｆ  ＳＯＩを視覚的に表示するための線（Ｌｉｎｅ）の類型、線の色、線の厚さを表す情報を含むことができ、視覚情報（Ｄｉｓｐｌａｙ  Ａｔｔｒｉｂｕｔｅ）に含まれる線（Ｌｉｎｅ）の類型、線の色及び線の厚さは、縮尺情報（Ｄｉｓｐｌａｙ  Ｍａｐ  Ｌｅｖｅｌ）又は装置情報（Ｄｉｓｐｌａｙ  Ｄｅｖｉｃｅ）に応答して制御される。例えば、ＳＯＩ−コンテンツ属性情報（ＣＯＳ  Ｐｒｏｐｅｒｔｙ）は表示端末の種類、リスト掲載、画面上の要約表示／内容照合、地図上の表示、電子ファイルの出力、ハードコピーの出力などの可否を制御する情報に具現される。
【００３０】
図４に戻り、ＳＯＩ−コンテンツ関係ＩＤ生成部４４２は、生成されるか選択されたＳＯＩ又はコンテンツのマッピングを表す識別コードとして固有の関係ＩＤ（ＣＯＳ（Ｒｅｌａｔｉｏｎ）  ＩＤ）を生成する。このような関係ＩＤ（ＣＯＳ（Ｒｅｌａｔｉｏｎ）  ＩＤ）は、使用条件設定部４３０から設定された使用期間又は使用主題に従いユニーク（Ｕｎｉｑｕｅ）に設定され、生成されるか選択されたＳＯＩ又はコンテンツのマッピングをユニークに表現する識別コードである。
以下、別の図で関係ＩＤ（ＣＯＳ（Ｒｅｌａｔｉｏｎ）  ＩＤ）をより具体的に説明する。
図７は、本発明の好ましい実施形態に係る関係ＩＤ（ＣＯＳ（Ｒｅｌａｔｉｏｎ）  ＩＤ）を示す図である。図７の関係ＩＤ（ＣＯＳ（Ｒｅｌａｔｉｏｎ）  ＩＤ）は、生成されるか選択されたＳＯＩの固有のＳＯＩ  ＩＤ、及び生成されるか選択されたコンテンツのコンテンツ  ＩＤで構成される。
【００３１】
図４に戻り、ＳＯＩ−コンテンツ関係情報管理部４４３は関係ＩＤ（ＣＯＳ（Ｒｅｌａｔｉｏｎ）  ＩＤ）、ＳＯＩ−コンテンツ関係情報（ＣＯＳ  Ｏｂｊｅｃｔ）又はＳＯＩ−コンテンツ属性情報（ＣＯＳ  Ｐｒｏｐｅｒｔｙ）をそれぞれ保存する関係ＩＤ  ＤＢ  ７００及び関係／属性情報ＤＢ  ８００と連携し、関係ＩＤ（ＣＯＳ（Ｒｅｌａｔｉｏｎ）  ＩＤ）、ＳＯＩ−コンテンツ関係情報（ＣＯＳ  Ｏｂｊｅｃｔ）又はＳＯＩ−コンテンツ属性情報（ＣＯＳ  Ｐｒｏｐｅｒｔｙ）を管理する。さらに、これら情報に変更事項がある場合、当該変更事項を関係ＩＤ  ＤＢ  ７００及び関係／属性情報ＤＢ  ８００に反映する。例えば、ＳＯＩのＳＯＩ  ＩＤ、位置情報、外観情報、ＳＯＩ時間情報又はＳＯＩ関係情報が変更されてもよく、当該ＳＯＩ又はコンテンツ自体が削除されるか、ＳＯＩ−コンテンツ関係情報（ＣＯＳ  Ｏｂｊｅｃｔ）又はＳＯＩ−コンテンツ属性情報（ＣＯＳ  Ｐｒｏｐｅｒｔｙ）が変更されるか削除されてもよい。さらに、ＳＯＩ−コンテンツ関係情報（ＣＯＳ  Ｏｂｊｅｃｔ）及びＳＯＩ−コンテンツ属性情報（ＣＯＳ  Ｐｒｏｐｅｒｔｙ）は必要に応じて外部の要請により変更される。
【００３２】
図５は、本発明に係るＳＯＩ  ｄａｔａ、Ｃｏｎｔｅｎｔ  ｄａｔａ及びＳＯＩ−Ｃｏｎｔｅｎｔ  ｄａｔａの関係を示す図である。
ＳＯＩに関する情報を構成するＳＯＩ  ｄａｔａはＳＯＩを含む。そして、前述で説明したところのように、特定の使用主題が複数のＳＯＩを含む場合、ＳＯＩ  ｄａｔａは当該ＳＯＩと他のＳＯＩとの関係を順次表すＳＯＩ関係情報（ＳＯＩ  Ｒｅｌａｔｉｏｎｓｈｉｐ）をさらに含むことができる。
コンテンツに関する情報を構成するＣｏｎｔｅｎｔ  ｄａｔａはコンテンツを含む。そして、前述で説明したところのように、特定の使用主題が複数のコンテンツを含む場合、Ｃｏｎｔｅｎｔ  ｄａｔａは当該コンテンツと他のコンテンツとの関係を順次表すコンテンツ関係情報（Ｃｏｎｔｅｎｔ  Ｒｅｌａｔｉｏｎｓｈｉｐ）をさらに含むことができる。
【００３３】
Ｃｏｎｔｅｎｔ  ｏｆ  ＳＯＩに関する情報を構成するＳＯＩ−Ｃｏｎｔｅｎｔ  ｄａｔａは、ＳＯＩ−コンテンツ関係情報（ＣＯＳ  Ｏｂｊｅｃｔ）及びＳＯＩ−コンテンツ属性情報（ＣＯＳ  Ｐｒｏｐｅｒｔｙ）を含む。  前述の通り、ＳＯＩ−コンテンツ関係情報（ＣＯＳ  Ｏｂｊｅｃｔ）は生成されるか選択されたＳＯＩ又はコンテンツの間の連結関係を表し、ＳＯＩ−コンテンツ属性情報（ＣＯＳ  Ｐｒｏｐｅｒｔｙ）はＣｏｎｔｅｎｔ  ｏｆ  ＳＯＩの表示属性を表す。
図８は、ＳＯＩ、コンテンツ、ＳＯＩ−コンテンツ関係情報（ＣＯＳ  Ｏｂｊｅｃｔ）又はＳＯＩ−コンテンツ属性情報（ＣＯＳ  Ｐｒｏｐｅｒｔｙ）の変更履歴を管理し、変更履歴に対する情報を提供することができる機能を示す図である。
ＳＯＩ−コンテンツ履歴管理部５１０はＳＯＩ  ＤＢ  ５００、コンテンツ  ＤＢ  ６００、関係ＩＤ  ＤＢ  ７００、関係／属性情報ＤＢ  ８００をモニタリングしながら、保存された情報の変更事項を調べる。変更事項を変更履歴で管理する必要性があると判断した場合は、これを変更履歴ＤＢ  ９００に保存する。このため、ＳＯＩ−コンテンツ履歴管理部５１０はＳＯＩ−コンテンツ情報変更調査部５１１、ＳＯＩ−コンテンツ履歴保存判別部５１２、ＳＯＩ−コンテンツ履歴保存部５１３を含むことができる。
【００３４】
ＳＯＩ−コンテンツ情報変更調査部５１１は、ＳＯＩ、コンテンツ、ＳＯＩ−コンテンツ関係情報（ＣＯＳ  Ｏｂｊｅｃｔ）又はＳＯＩ−コンテンツ属性情報（ＣＯＳ  Ｐｒｏｐｅｒｔｙ）が変更された場合、関連ＤＢ  ５００、６００、７００、８００から当該変更事項を調べ、当該変更事項を予め定義された類型コードで分類する。ここで、類型コードは、例えば、関係情報の修正、削除、属性情報の表示、出力を制御する項目などになり得る。
ＳＯＩ−コンテンツ履歴保存判別部５１２は、ＳＯＩ−コンテンツ情報変更調査部５１１により調べられた変更事項を変更履歴に保存する類型コードに該当するか否かを判別する機能を行う。
ＳＯＩ−コンテンツ履歴保存部５１３は、変更履歴に保存する変更事項を変更履歴ＤＢ  ９００に含まれるＳＯＩ履歴ＤＢ、ＳＯＩ−コンテンツ関係履歴ＤＢ又はコンテンツ履歴ＤＢに保存し、このとき、変更事項が発生した時間に対する情報を必ず含むようにする。
【００３５】
ＳＯＩ−コンテンツ履歴復元部５２０は、外部の要請によりＳＯＩ、コンテンツ、ＳＯＩ−コンテンツ関係情報（ＣＯＳ  Ｏｂｊｅｃｔ）又はＳＯＩ−コンテンツ属性情報（ＣＯＳ  Ｐｒｏｐｅｒｔｙ）の変更履歴を検索し、検索された結果を表出する。即ち、変更履歴を照合することができる。このため、ＳＯＩ−コンテンツ履歴復元部５２０は、ＳＯＩ−コンテンツ履歴検索部５２１及びＳＯＩ−コンテンツ履歴表出情報編集部５２２を含むことができる。
ＳＯＩ−コンテンツ履歴検索部５２１は、変更履歴ＤＢ  ９００に保存された変更履歴を検索することができる。検索を望むＳＯＩ、コンテンツ、使用期間又は使用主題を選択し、所望の変更履歴をＳＯＩ−コンテンツ履歴検索部５２１へ要請すれば、ＳＯＩ−コンテンツ履歴検索部５２１は、変更履歴ＤＢ  ９００を検索して要請された変更履歴を検索し、当該変更履歴を抽出する。
【００３６】
ＳＯＩ−コンテンツ履歴表出情報編集部５２２は、ＳＯＩ−コンテンツ履歴検索部５２１から抽出された変更履歴に対し、ＳＯＩ−コンテンツ属性情報（ＣＯＳ  Ｐｒｏｐｅｒｔｙ）を参照して当該変更履歴を編集して表出する。前述の通り、ＳＯＩ−コンテンツ属性情報（ＣＯＳ  Ｐｒｏｐｅｒｔｙ）は表示端末の種類、リスト掲載、画面上の要約表示／内容照合、地図上の表示、電子ファイルの出力、ハードコピーの出力などの可否を制御する情報に具現されてもよく、これを考慮して検索された変更履歴を表出することができる。
図９は、時間に伴う変更履歴を照合することができるタイムバー（Ｔｉｍｅ  Ｂａｒ）形態の一実施形態を示す図である。使用者が望む検索と関連し特定情報（例えば、ＳＯＩ、コンテンツ、使用期間又は使用主題）を選択した場合、時間帯別にＳＯＩ、コンテンツ、ＳＯＩ−コンテンツ関係情報（ＣＯＳ  Ｏｂｊｅｃｔ）又はＳＯＩ−コンテンツ属性情報（ＣＯＳ  Ｐｒｏｐｅｒｔｙ）の変更履歴を確認できるように時間を選択することができる機能を有する。
【００３７】
ここで説明された発明の側面等及び実施形態等は、一般的な形態１０００のネットワークを含む多様な実施形態に具現される。ネットワークは、例えば、ＳＯＩ情報を保存して処理するよう、ここに開示された通りプログラムされた一つ以上の汎用コンピューター１００２を含むことができる。
このようなＳＯＩ情報は、例えば、同一又は相違する汎用コンピューター１００４を利用して生成される。例えば、属性所有者、事業所有者又は他の関心のある使用者がＳＯＩ、コンテンツ、テーマなどに関する情報を生成するか修正するためコンピューター１００４を利用することができる。例えば、使用者はコンピューター１００４に設けられた専用−プログラムされたクライアントプログラムを介しこのような情報を提出するか、コンピューター１００４上のインターネットブラウザーにディスプレイされた一つ以上のウェブページを介しコンピューター１００２と通信することができる。
【００３８】
１人以上の端末機使用者は、汎用コンピューター等（例えば、ネットワーク接続等及びインターネットブラウザー等を含むコンピューター等）、モバイルテレホン等、スマートホン等（例えば、アップル社で販売されるＩＰＨＯＮＥ(登録商標)）、タブレット等（例えば、アップル社で販売されるＩＰＡＤ(登録商標)）などのような多様なデバイス１００６を介しＳＯＩ、コンテンツ、テーマなどに関する情報に接続することができる。さらに他の実施形態で、デバイス１００６は使用者により所持されるか、交通手段（例えば、自動車、トラック、飛行機又はボート）に搭載可能なナビゲーション又はＧＰＳ（Ｇｌｏｂａｌ  Ｐｏｓｉｔｉｏｎｉｎｇ  Ｓｙｓｔｅｍ）−その交通手段に最初から組み立てられているか、追って−販売される−であり得る。
【００３９】
コンピューター１００２は、コンピュータープログラム命令語等及び／又はデータを保存することができる一つ以上のメモリ及び／又は保存装置を含むことができる。例えば、ＳＯＩ情報及び関連データは、データベース又はファイルシステムを具現するデータベース管理システム（ＤＢＭＳ）に保存され得る。データベースは、ＳＱＬデータベースのような関係データベースであり得る。一実施形態として、データ（例えば、ＳＯＩ、コンテンツなど）のカテゴリーのそれぞれは、それぞれのデータに対し固有ＩＤがキー（ｋｅｙ）の役割を果たすことができる分離したテーブルに保存され得る。データの間の関係等（例えば、ＳＯＩ−Ｃｏｎｔｎｅｔ、ＳＯＩ−ＳＯＩ、コンテンツ−コンテンツ）は、関連データに対するＩＤを含む他のテーブルにあるデータエントリーにより表現される。
【００４０】
装置１００２、１００４、１００６は、コンピューター保存媒体に保存された命令語等の実行を介し動作することができる。『コンピューター保存媒体』は、コンピューターにより読取り可能なデータ、又はコンピューターにより読取り可能なデータを運ぶ搬送波信号を含むある製造物品を意味することを理解しなければならない。そのようなコンピューター読取り可能媒体はフロッピー（登録商標）ディスク、フレキシブルディスク、ハードディスク、リル・ツー・リルテープ、カートリッジテープ、カセットテープ又はカードのような磁気媒体；ＣＤ−ＲＯＭ及び書込み可能なコンパクトディスクのような光学媒体；ディスク、テープ又はカード形態の光−磁気媒体；パンチングされたカード及び紙テープのような紙媒体を含むが、これに限定されるものではない。
【００４１】
以上の説明は、本発明の技術思想を例示的に説明したものに過ぎず、本発明が属する技術分野において通常の知識を有する者であれば、本発明の本質的な特性から外れない範囲で多様な修正及び変形が可能であるはずである。したがって、本発明に開示された実施形態等は、本発明の技術思想を限定するためのものではなく、説明するためのものであり、このような実施形態により本発明の技術思想の範囲が限定されるものではない。本発明の保護範囲は、請求の範囲に基づき解釈されなければならず、これと同等な範囲内にある全ての技術思想は、本発明の権利範囲に含まれるものとして解釈されなければならない。
【符号の説明】
【００４２】
４１０    ＳＯＩ選定部
４２０    コンテンツ選定部
４３０    使用条件設定部
４４０    ＳＯＩ−コンテンツ関係管理部
５００    ＳＯＩ  ＤＢ
６００    コンテンツ  ＤＢ
７００    関係ＩＤ  ＤＢ
８００    関係／属性情報ＤＢ
９００    変更履歴ＤＢ
【図１】
0006587372.tif 000002
【図２】
0006587372.tif 000003
【図３】
0006587372.tif 000004
【図４】
0006587372.tif 000005
【図５】
0006587372.tif 000006
【図６】
0006587372.tif 000007
【図７】
0006587372.tif 000008
【図８】
0006587372.tif 000009
【図９】
0006587372.tif 000010